(57)【要約】【課題】容易に大量生産することができる除湿機能付き着座装置を提供する。【解決手段】体に接する側に多数の凸部が一体的に形成され、且つ座部と背部とが一体的に形成された、体の圧力を受けるためのクッション部２と、クッション部２の凸部の上に設けられた、凸部に加わる力を分散するための力分散手段３と、力分散手段の上に設けられた、透湿性を有しかつ空気漏れの少ないシート部４と、クッション部に形成された凸部とシート部の間に形成される、空気を流通させるための略扁平状の空気流通路１０の前端及び上端に形成された空気流入出口１１と、空気の流通する方向と略直交する方向に前記空気流通路を略二つに仕切る仕切り手段６と、前記仕切り手段に設けられた、前記空気流通路内に外気を流通させるためのファン５とを備える。人が着座した時の人体表面湿度と空気流通路内の湿度の差により、人体から生じた汗を外部に排出する。【選択図】　　図１
2004141210.tif 000002
【特許請求の範囲】
【請求項１】
体と接する部分の内部に体の圧力を受けるために設けられたクッション部を有する着座装置において、体に接する側の前記クッション部自体に多数の凸部を一体的に設け、その上に前記凸部に加わる力を分散するための力分散手段を設け、前記力分散手段の上に透湿性を有し、かつ空気漏れの少ないシート部を取り付け、前記クッション部に設けた凸部と前記シート部の間に空気を流通させる為の略扁平状の空気流通路を形成し、前記空気流通路の端部には外気を取り込む、または排出する為の空気流入出口を設け、前記空気流通路に強制的に空気の流れを作る為の送風手段を設け、前記送風手段により前記空気流通路内に外気を流通させて、前記流通路内の温度と湿度を外気の温湿と湿度に近づけ、これにより人が着座した時に人体表面の湿度と前記流通路内の湿度との差により、体から発生した汗を、前記シートを介して前記空気流通路内に取り込み、外部に排出することを特徴とする除湿機能付き着座装置。
【請求項２】
人体が接する側に設けられた透湿性を有しかつ風漏れの少ないシート部と、前記シート部を支えると共に空気が流通する空間を確保する為のスペーサ部を有し、前記シート部と前記スペーサ部とにより空気流通路を構成し、前記空気流通路を、空気の流通する方向と略直交する方向に仕切手段を設けて二つに仕切り、前記仕切手段に送風手段を取り付け、前記送風手段により前記空気流通路の一端から外気を取り込み、他端から排出する事で前記空気流通路内の温度と湿度を外気の温度と湿度に近づけ、これにより人が着座した時の人体表面の湿度と前記空気流通路内の湿度の差により、人体から生じた汗を、前記シート部を介して前記空気流通路内に取り込み外部に排出することを特徴とする除湿機能付き着座装置。
【請求項３】
前記シート部と前記スペーサ部との間に、人が着座した時に前記スペーサ部に加わる力を分散する為の力分散手段を設けたことを特徴とする請求項２の除湿機能付き着座装置。
【請求項４】
体に接する側に多数の凸部が一体的に形成され、且つ座部と背部とが一体的に形成された、体の圧力を受けるためのクッション部と、前記クッション部の前記凸部の上に設けられた、前記凸部に加わる力を分散するための力分散手段と、前記力分散手段の上に設けられた、透湿性を有しかつ空気漏れの少ないシート部と、前記クッション部に形成された凸部と前記シート部の間に形成される、空気を流通させるための略扁平状の空気流通路の前端及び上端に形成された空気流入出口と、空気の流通する方向と略直交する方向に前記空気流通路を略二つに仕切る仕切り手段と、前記仕切り手段に設けられた、前記空気流通路内に外気を流通させるための送風手段と、を備え、
前記送風手段により、前記空気流入出口の一方から外気を取り込み、他方　から排出することにより、前記空気流通路内の温度と湿度を、外気の温度と湿度に近づけ、これにより人が着座した時の人体表面湿度と前記空気流通路内の湿度の差により、人体から生じた汗を、前記シート部を介して前記空気流通路内に取り込み外部に排出することを特徴とする除湿機能付き着座装置。
【発明の詳細な説明】
【０００１】
【発明の属する技術分野】
本発明は、椅子，　ソファー，　乗り物用座席，　座椅子等に用いられるもので、着座した時に体と着座装置の間にこもる湿気を取り除くことができる除湿機能付き着座装置に関する。
【０００２】
【従来の技術】
本願の発明者が発明した冷却に関する技術として、国際出願ＰＣＴ／ＪＰ９９／０４６１２（国際公開番号　ＷＯ　００１／１５５７３　Ａ１）に係る技術があり、この技術を利用した除湿用マット（製品名セフトン）が既に市販されている。また、上記の国際出願には、長時間座っていてもむれる事がない非常に有効な手段である着座装置についても記述されている。
【０００３】
【特許文献１】
国際公開番号　ＷＯ　００１／１５５７３　Ａ１
【０００４】
【発明が解決しようとする課題】
ところで上記の発明は非常に有効な技術であるが、実際に製造するにあたって、安価に大量に作る事に対する技術にまではおよんでいない。
【０００５】
また、上記の発明に係る着座装置は、ファンが露出しているので、外部からの力がファンに直接加わり、ファンが壊れてしまうおそれがあった。
【０００６】
本発明は上記事情に基づいてなされたものであり、容易に大量生産することができる除湿機能付き着座装置を提供することを目的とするものである。
【０００７】
また、本発明は上記事情に基づいてなされたものであり、外部からの力によってファンが壊される危険性を軽減することができる除湿機能付き着座装置を提供することを目的とするものである。
【０００８】
【課題を解決するための手段】
上記の目的を達成するための請求項１記載の発明に係る除湿機能付き着座装置は、体と接する部分の内部に体の圧力を受けるために設けられたクッション部を有する着座装置において、体に接する側の前記クッション部自体に多数の凸部を一体的に設け、その上に前記凸部に加わる力を分散するための力分散手段を設け、前記力分散手段の上に透湿性を有し、かつ空気漏れの少ないシート部を取り付け、前記クッション部に設けた凸部と前記シート部の間に空気を流通させる為の略扁平状の空気流通路を形成し、前記空気流通路の端部には外気を取り込む、または排出する為の空気流入出口を設け、前記空気流通路に強制的に空気の流れを作る為の送風手段を設け、前記送風手段により前記空気流通路内に外気を流通させて、前記流通路内の温度と湿度を外気の温湿と湿度に近づけ、これにより人が着座した時に人体表面の湿度と前記流通路内の湿度との差により、体から発生した汗を、前記シートを介して前記空気流通路内に取り込み、外部に排出することを特徴とするものである。
【０００９】
これにより別途スペーサ部を取り付けることなく、クッション部を成形するときに同時にスペーサ部に対応する凸部が形成されるので、量産が容易になると共にコストダウンを計る事が出来る。
【００１０】
上記の目的を達成するための請求項２記載の発明に係る除湿機能付き着座装置は、人体が接する側に設けられた透湿性を有しかつ風漏れの少ないシート部と、前記シート部を支えると共に空気が流通する空間を確保する為のスペーサ部を有し、前記シート部と前記スペーサ部とにより空気流通路を構成し、前記空気流通路を、空気の流通する方向と略直交する方向に仕切手段を設けて二つに仕切り、前記仕切手段に送風手段を取り付け、前記送風手段により前記空気流通路の一端から外気を取り込み、他端から排出する事で前記空気流通路内の温度と湿度を外気の温度と湿度に近づけ、これにより人が着座した時の人体表面の湿度と前記空気流通路内の湿度の差により、人体から生じた汗を、前記シート部を介して前記空気流通路内に取り込み外部に排出することを特徴とするものである。
【００１１】
これにより送風手段を空気流通路の中に埋め込む事が出来、したがって、送風手段が外部に露出するのを防ぐことができる。
【００１２】
上記の目的を達成するための請求項４記載の発明に係る除湿機能付き着座装置は、体に接する側に多数の凸部が一体的に形成され、且つ座部と背部とが一体的に形成された、体の圧力を受けるためのクッション部と、前記クッション部の前記凸部の上に設けられた、前記凸部に加わる力を分散するための力分散手段と、前記力分散手段の上に設けられた、透湿性を有しかつ空気漏れの少ないシート部と、前記クッション部に形成された凸部と前記シート部の間に形成される、空気を流通させるための略扁平状の空気流通路の前端及び上端に形成された空気流入出口と、空気の流通する方向と略直交する方向に前記空気流通路を略二つに仕切る仕切り手段と、前記仕切り手段に設けられた、前記空気流通路内に外気を流通させるための送風手段と、を備え、
前記送風手段により、前記空気流入出口の一方から外気を取り込み、他方から排出することにより、前記空気流通路内の温度と湿度を、外気の温度と湿度に近づけ、これにより人が着座した時の人体表面湿度と前記空気流通路内の湿度の差により、人体から生じた汗を、前記シート部を介して前記空気流通路内に取り込み外部に排出することを特徴とするものである。
【００１３】
【発明の実施の形態】
以下に、本発明の一実施形態について図面を参照して説明する。図１は本発明の一実施形態である除湿機能付き着座装置の概略断面図を表わしている。本実施形態である除湿機能付き着座装置は、事務用等に使用される一般目的の椅子である。本実施形態の除湿機能付き着座装置（以下、単に椅子とも称する。）は、脚部８と、サポート手段７と、サポート手段７に設けられたクッション部２と、クッション部２の上に設けられた力分散手段３と、力分散手段３の上に設けられた防風透湿性シート部４と、送風手段である直流用のファン５と、空気流通路１０を二つに仕切る仕切り部６と、外部の空気を取り入れるための空気流入口１１ａと、内部の空気を外部に排出するための空気流出口１１ｂと、ファン５に電力を供給するための電源部９とを備えている。クッション部２は、例えば発砲ポリウレタンを成形したものであり、座部と背部とが一体的に形成され、且つ人が着座した時に安定性のある形に成形されている。また、一般にクッション部２は、着座した時に座り心地が良い様に３次元的に形成されている。
【００１４】
図２は、本実施形態のクッション部２の概略斜視図である。図２に示すように、本実施形態のクッション部２は、基部２ａと、基部２ａの人体が接する側に形成された凸部２ｂと、基部２ａの両サイドに形成された壁部２ｃとを備えている。クッション部２は、例えば金型の中で原材料を発泡させて、基部２ａと凸部２ｂと壁部２ｃとを一体的に成形している。この時に使用する金型には、深さ２〜１０ｍｍの多数の直方体状の窪みを前面に形成すると共に、側面にはライン状の掘り込み部を形成している。かかる金型を用いることにより、図２に示す様な金型の窪みに対応する凸部２ｂと両サイドに掘り込み部に対応する壁部２ｃを有するクッション部２が出来る。なお、クッション部２の壁部２ｃは、省略することが可能であり、この場合、例えば、サポート手段７に壁部２ｃに対応するものを設ける必要がある。
【００１５】
クッション部２をサポート手段７に取り付け、そのクッション部２上に力分散手段３を乗せ、その上に防風透湿性シート４を取り付ける事により、凸部（以下、スペーサ部とも称する）２ｂの厚みと椅子１の横幅とからなる略扁平状の空気流通路１０が形成される。空気流通路１０の前端の開口部が空気流入口１１ａとなり、上端の開口部が空気流出口１１ｂとなる。
【００１６】
防風透湿性シート４としては、水蒸気を容易に透過し、空気を透過し難いものであれば、どのようなものでもよく、例えば高密度綿布や一般の布を用いることができる。ここで、高密度綿布とは、１ｃｍ当たり３００本程度の糸を使って織った布のことである。また、防風透湿性シート４としては、熱抵抗が小さいものを用いるのが望ましい。これは次の理由による。すなわち、本実施形態の椅子では、防風透湿性シート４に腰掛けたときに、臀部から発散された水分が防風透湿性シート４を透過し、空気流通路１０内を流れる空気によって運び出されることにより、除湿効果が得られる。このとき、体温よりも低い外部の空気を空気流通路１０内に流すことにより、臀部の表面近傍において大きな温度勾配を実現することができる。この大きな温度勾配によって、体表から放出される熱の量を多くすることができるので、本実施形態の椅子では、除湿効果に加えて、臀部を冷却するという副次的な効果も期待できる。したがって、除湿だけでなく冷却をも目的とする椅子にあっては、防風透湿性シート４の熱抵抗を小さくすることにより、熱を臀部から空気流通路１０内に伝わりやすくして、上記の冷却効果を容易に得ることができる。
【００１７】
力分散手段３は、人が椅子に座ったときに、人から受ける力を分散させてスペーサ部２ｂに加えるためのものである。力分散手段３としては、例えばメッシュ状の素材が用いられる。一般に、力分散手段４は必ずしもメッシュである必要はなく、柔軟性があり、熱抵抗が小さく、空気を通し難く、しかも透湿性に優れたものであれば力分散手段２２としてどのようなものでも用いることができる。
【００１８】
また、この力分散手段３を用いることにより、スペーサ２ｂが体にあたるゴツゴツ感を抑えることができると共に、防風透湿性シート４の一部がスペーサ２ｂの間に入り込んでしまい、空気の流通を阻害するのを防止することができる。
【００１９】
図３（ａ）は本実施形態の椅子を正面から見たときの概略部分拡大図、（ｂ）は（ａ）のＡ−Ａ矢視概略断面図である。なお、図３では、図を簡略化するために防風透湿性シート部は省略している。本実施形態のクッション部２のスペーサ部２ｂは、図３に示すように、略直方体に形成されている。また、スペーサ部２ｂの上部には、メッシュ状部材３が設けられている。このメッシュ状部材３は、スペーサ部２ｂの上部に単に配置するだけでもよいし、或いは接着剤を用いてスペーサ部２ｂの頂面にメッシュ状部材を貼り付けるようにしてもよい。クッション２部とスペーサ部２ｂとは、着座した時の体重による圧力で空気流通路１０が塞がれる事がない様に、クッション部の硬さと、クッション部に占めるスペーサ２ｂの割合、すなわちスペーサ部２ｂの大きさ及びピッチを適正化する必要がある。
【００２０】
図４（ａ）はファン５近傍の部分拡大図であり、（ｂ）は（ａ）の矢印Ｃ方向から見たメッシュ状部３，　仕切り手段６，　ファン５の関係を示す概略図である。なお、（ｂ）では図を簡略化するために防風透湿性シート部は省略している。本実施形態では、図１及び図４に示すように、空気流通路１０の背部と座部との中間部であるコーナー部の内部に、空気流通路１０を二つに仕切る仕切り手段６が設けられている。この仕切り手段６は、空気を通し難いものであれば良く、本実施形態では、帯状の布で形成している。この仕切り手段６により、空気流通路１０は、ほぼ背部と座部の二つに仕切られる。
【００２１】
送風手段（ファン）５は、椅子の幅方向（図１の紙面に垂直な方向）において略中央部に位置するように、仕切り手段６に取り付けられている。電源部９からファン５に電力が供給されるとファン５は図１に示す矢印方向に空気を送風する。すなわちファン５の送風力で仕切り手段６より前部側の空気流通路（座部の空気流通路）は陰圧になり、これにより空気流入口１１ａから外気が取り込まれ、逆に仕切り手段６より後部側の空気流通路（背部の空気流通路）は陽圧になり、これにより空気流出口１１ｂから空気が排気される。本実施形態では、仕切り手段６を設けたことにより、ファン６で送風された空気は空気流通路内１０内を逆流することなく、空気流入口１１ａから取り入れられて空気流通路１０を矢印方向に流れ、空気流出口１１ｂから排気される。また、本実施形態では、空気流通路内の空間を仕切る仕切り手段６を設け、且つ仕切り手段６の中央部にファン５を設けることにより、空気が空気流通路内において座部及び背部の中央を流れるようにすることができ、人体からの湿度を効率よく外部に排出することができる。
【００２２】
本実施形態の電源部９は、商用電源を降圧・整流して直流とするものである。しかしながら、本発明はこれに限定されるものではなく、電源部には電池を用いるようにしても良い。電池を用いる場合、椅子を使用しないときに商用電源で充電することができるように、充電可能な二次電池を用いることが望ましい。電池を用いることにより、コードが不要となり、使勝手が良くなる。
【００２３】
本実施形態の椅子では、上述の様な構造になっているので、人が座ると、人体から発生した発汗による水蒸気は、防風透湿性シート部を透過して空気流通路１０内に入り、ファン５により外部に放出される。
【００２４】
また、本実施形態では、メッシュ状の力分散手段３をクッション部２のスペーサ部２ｂと防風透湿性シート部４との間に設ける事により、着座した時の圧力が分散され、スペーサ２ｂが体重によりつぶれたり、倒れたりして空気流通路１０を塞ぐのを有効に防止でき、結果としてスペーサ２ｂの割合を小さく出来、スペーサによる空気抵抗を小さくする事が出来る。また、力分散手段３を設けることにより、防風透湿性シート部４がスペーサ２ｂの間の空気流通路の中に食い込むのを抑制することができるので、この点からも空気抵抗の増加を防止する事が出来る。
【００２５】
また、ファン５を仕切り手段６に取り付ける事により流通路内に一方向の空気の流れを生じさせることができ、しかも外部にファンが露出する事が無いので、見栄えも向上する。更に、ファン５を仕切り手段６に取り付ける事により、外部からの力がファンに加わり、ファンを破壊する危険性を大幅に軽減することが出来る。
【００２６】
更に、上記の本実施形態の椅子によれば、クッション部とスペーサ部と壁部とは、金型により一体的に形成されるので、量産が容易であり、且つ安価なものとすることができる。
【００２７】
尚、本発明は、上記の各実施形態に限定されるものではなく、その要旨の範囲内において種々の変形が可能である。
【００２８】
図５は、本実施形態の変形例を示す図であり、ファンの取り付け状態を説明するためのファン付近の概略部分断面図である。図５に示す変形例は、前述した従来技術と同様にサポート手段７の一部（背部と座部との間）に穴をあけ、空気流通路の途中から空気を外部に排出する様にファン５０を取り付けている。本変形例の場合、前端の開口部と上端の開口部は、共に空気流入口となる。
【００２９】
また、上記の実施形態では、クッション部の座部と背部とを一体的に形成する場合について説明したが、クッション部は座部と背部とを分けて形成するようにしてもよい。この場合、ファンは、座部と背部のそれぞれに設けるようにしてもよいし、両者に共通して設けるようにしてもよい。また、この場合、仕切り手段が不要となるので、ファンを保持するための保持具を設ける必要がある。
【００３０】
また、上記の実施形態では、本発明の除湿機能付き着座装置が椅子である場合について説明したが、本発明はこれに限定されるものではなく、例えば、自動車のシート等の乗り物用のシート、　ソファー、　座椅子等の人が座るものなら何にでも応用する事が出来る。
【００３１】
また、上記の実施形態では、ファンを椅子の略中央部に一つ設けた場合について説明したが、２個以上のファンを設けるようにしてもよい。これにより、除湿及び冷却効果の向上を図ることができる。
【００３２】
また、上記の実施形態では、スペーサ部の形状が略直方体状である場合について説明したが、スペーサ部の形状は空気流通路を形成することが出来るものであればどのような形状でもよく、例えば立方体状、山型状、円筒状等であってもよい。
【００３３】
また、上記の実施形態では、クッション部とスペーサ部とを一体的に形成する場合について説明したが、請求項２記載の発明は仕切り手段と送風手段とを有することを特徴とするものであるので、クッション部とスペーサ部は別個に独立して形成するようにしてもよい。
【００３４】
また、上記の実施形態では、仕切り手段に送風手段を設ける場合について説明したが、請求項１記載の発明はクッション部とスペーサ部とを一体的に形成したことを特徴とするものであるので、仕切り手段は省略してもよい。
【００３５】
更に、上記の実施形態では、力分散手段を設けた場合について説明したが、力分散手段は省略することも可能である。
【００３６】
【発明の効果】
以上説明したように請求項１記載の発明によれば、クッション部とスペーサ部とを一体的に形成することにより、量産が容易で、且つ安価な除湿機能付き着座装置を提供することができる。
【００３７】
請求項２記載の発明によれば、仕切り手段に送風手段を設けることにより、送風手段が外部に露出しないので、外部からの力により送風手段が破壊される危険性を軽減することができる除湿機能付き着座装置を提供することかできる。
【００３８】
請求項４記載の発明によれば、クッション部とスペーサ部とを一体的に形成し、且つ仕切り手段に送風手段を設けることにより、量産が容易で、且つ安価であり、しかも外部からの力により送風手段が破壊される危険性を軽減することができる除湿機能付き着座装置を提供することかできる。
【００３９】
【図面の簡単な説明】
【図１】本発明の一実施形態である除湿機能付き着座装置の概略断面図である。
【図２】本実施形態のクッション部の概略斜視図である。
【図３】（ａ）は防風透湿性シート部を透かして本実施形態の椅子を正面から見たときの概略部分拡大図、（ｂ）は（ａ）のＡ−Ａ矢視概略断面図である。
【図４】（ａ）はファン５近傍の部分拡大図であり、（ｂ）は（ａ）の矢印Ｃ方向から見たメッシュ状部３，　仕切り手段６，　ファン５の関係を示す概略図である。
【図５】送風方法の変形例を示すファン付近の概略部分断面図である。
【符号の説明】
１：除湿機能付き着座装置、　２：クッション部、　２ｂ：凸部（スペーサ部）
３：力分散手段、　４：防風透湿性シート部、５：ファン、　６：仕切り手段、
７：サポート手段、　８：脚部、　９：電源部、　１０：空気流通路、
１１ａ：空気流入口、　１１ｂ：空気流出口
【図１】
2004141210.tif 000003
【図２】
2004141210.tif 000004
【図３】
2004141210.tif 000005
【図４】
2004141210.tif 000006
【図５】
2004141210.tif 000007